(57)【要約】      （修正有）【課題】ＲＦＩＤタグが取り付けられているにも関わらず、払拭作業を円滑に行うことができ、更には破損しやすくなるのを防止できる、ＲＦＩＤタグ付きクロスを提供する。  【解決手段】ＲＦＩＤタグ付きクロスであって、ＲＦＩＤタグは、ゴムで被覆されてゴム被覆タグ５となっており、平らなナイロン袋２が、ゴム被覆タグを収容した状態で、クロス１の一辺１１から外に張り出すように、一辺の端部近傍に、縫い付けられている。【選択図】図２
0003224724.tif 000002
【実用新案登録請求の範囲】
【請求項１】
ＲＦＩＤタグが取り付けられたクロスであって、
前記ＲＦＩＤタグは、ゴムで被覆されてゴム被覆タグとなっており、
平らな袋が、前記ゴム被覆タグを収容した状態で、前記クロスの一辺から外に張り出すように、当該一辺に、縫い付けられている、
ことを特徴とするＲＦＩＤタグ付きクロス。
【請求項２】
前記袋は、ナイロン製である、
請求項１記載のＲＦＩＤタグ付きクロス。
【請求項３】
前記袋は、平面視四角形のシートからなり、２つ折りされ、且つ、両短辺が封止されてできており、
前記袋は、長辺が前記クロスの前記一辺に縫い付けられることによって、前記クロスに取り付けられている、
請求項１又は２に記載のＲＦＩＤタグ付きクロス。
【請求項４】
前記ゴム被覆タグは、前記ＲＦＩＤタグと、前記ＲＦＩＤタグを被覆して加硫されたゴムシートと、からなっている、
請求項１〜３のいずれか一つに記載のＲＦＩＤタグ付きクロス。
【請求項５】
前記ゴムシートは、ＮＢＲゴムシートである、
請求項４記載のＲＦＩＤタグ付きクロス。
【請求項６】
前記袋は、前記クロスの前記一辺の端部近傍に、取り付けられている、
請求項１〜５のいずれか一つに記載のＲＦＩＤタグ付きクロス。
【考案の詳細な説明】
【技術分野】
【０００１】
本考案は、ＲＦＩＤタグが取り付けられたクロスに関する。
【背景技術】
【０００２】
レンタルされるクロスを管理するために、クロスにＲＦＩＤタグを取り付けることが提案されている。
【先行技術文献】
【特許文献】
【０００３】
【特許文献１】特開平９−２４５１４１号公報
【考案の概要】
【考案が解決しようとする課題】
【０００４】
しかしながら、クロスの表面又は裏面にＲＦＩＤタグを取り付けると、タグが払拭作業の邪魔になり、更には、タグの取り付け箇所においてクロスが破れる、という不具合が発生する可能性がある。
【０００５】
本考案は、上記の不具合の発生を防止できるＲＦＩＤタグ付きクロスを提供することを目的としている。
【課題を解決するための手段】
【０００６】
本考案は、ＲＦＩＤタグが取り付けられたクロスであって、
前記ＲＦＩＤタグは、ゴムで被覆されてゴム被覆タグとなっており、
平らな袋が、前記ゴム被覆タグを収容した状態で、前記クロスの一辺から外に張り出すように、当該一辺に、縫い付けられている、
ことを特徴としている。
【考案の効果】
【０００７】
本考案のＲＦＩＤタグ付きクロスによれば、ＲＦＩＤタグが取り付けられているにも関わらず、払拭作業を円滑に行うことができ、更には破損しやすくなるのを防止できる。
【図面の簡単な説明】
【０００８】
【図１】本考案の一実施形態のＲＦＩＤタグ付きクロスを示す平面図である。
【図２】図１のＡ部拡大図である。
【図３】図２のIII−III断面図である。
【図４】袋を作製する様子を示す図である。
【図５】ゴム被覆タグを作製する様子を示す図である。
【考案を実施するための形態】
【０００９】
［第１実施形態］
図１は、本考案の一実施形態のＲＦＩＤタグ付きクロス１０を示す平面図である。図１に示されるように、平面視四角形のクロス１の短辺である一辺１１の端部近傍に、ＲＦＩＤタグを収容した平面視四角形の平らな袋２が、一辺１１から外に張り出した状態で、取り付けられている。なお、クロス１は、例えば、絹糸からなる平織り布、ポリエステルのマイクロファイバーからなる平織り布である。
【００１０】
図２は、図１のＡ部拡大図である。図３は、図２のIII−III断面図である。袋２は、図４に示されるような平面視四角形のナイロンシート２１を中心線Ｃ１に沿って２つ折りし、更に、両短辺２２、２３を封止することによって、作製されている。すなわち、袋２は、ナイロン袋である。封止は、ヒートシールで行うのが好ましいが、縫製又は糊付け等で行ってもよい。図２において、袋２の長辺２４は、開口している。
【００１１】
袋２には、ＲＦＩＤタグ３がゴム被覆タグ５の形態で、収容されている。ゴム被覆タグ５は、図５に示されるような平面視四角形の未加硫ＮＢＲゴムシート５１の片側にＲＦＩＤタグ３を載せ、未加硫ＮＢＲゴムシート５１を中心線Ｃ２で２つ折りし、これによって、ＲＦＩＤタグ３を表裏両面側から未加硫ＮＢＲゴムシート５１で包み込み、これを表裏両面側から加圧加熱して未加硫ＮＢＲゴムシート５１を加硫することによって、作製されている。
【００１２】
ＲＦＩＤタグ３は、例えば、ＩＣチップとそれに接続されたアンテナとを表面に備えた樹脂シートからなっている。アンテナは、樹脂シート表面に印刷されている。なお、この樹脂シートの表面及び／又は裏面に更に樹脂シートを接合して２層シート構造又は３層シート構造としてもよい。
【００１３】
そして、袋２は、ゴム被覆タグ５を収容した状態で、長辺２４の開口を閉じて且つ閉じた長辺２４をクロス１の一辺１１に沿わせて、長辺２４をクロス１に縫い付けることによって、クロス１に取り付けられている。このとき、袋２の幅Ｗ（図２）の略半分は、クロス１の一辺１１から外に張り出している。
【００１４】
上記構成のＲＦＩＤタグ付きクロス１０によれば、次のような効果を発揮できる。
（１）ＲＦＩＤタグ３が、クロス１の一辺１１から外に張り出した袋２に収容されているので、クロス１の表裏面にＲＦＩＤタグ３は存在しない。したがって、クロス１の表裏面を使った払拭作業において、ＲＦＩＤタグ３が邪魔になることはない。すなわち、本実施形態のＲＦＩＤタグ付きクロス１０によれば、ＲＦＩＤタグ３が取り付けられているにも関わらず、払拭作業を円滑に行うことができる。
【００１５】
（２）ＲＦＩＤタグ３がクロス１の表裏面に存在しないので、クロス１の表裏面に、破れやすい凸凹が無い。よって、クロス１が破れやすくなるのを防止できる。
【００１６】
（３）袋２内のＲＦＩＤタグ３は、ゴム被覆タグ５の形態を有しているので、耐衝撃性を有しており、破損しにくい。
【００１７】
［別の実施形態］
本考案のＲＦＩＤタグ付きクロスは、次の構成の１種以上を任意に選択して採用してもよい。
【００１８】
（ａ）袋２は、ナイロン以外の他の合成樹脂シートで構成されてもよい。
【００１９】
（ｂ）ゴム被覆タグ５は、ＮＢＲ以外のゴムシートを採用してもよい。
【００２０】
（ｃ）袋２は、クロス１の一辺１１の端部近傍以外に、例えば略中央に、取り付けられてもよい。
【００２１】
（ｄ）袋２は、クロス１の長辺である一辺１２に取り付けられてもよい。
【産業上の利用可能性】
【００２２】
本考案のＲＦＩＤタグ付きクロスは、ＲＦＩＤタグが取り付けられているにも関わらず、払拭作業を円滑に行うことができ、更には破損しやすくなるのを防止できるので、産業上の利用価値が大である。
【符号の説明】
【００２３】
１  クロス
１１  一辺
２  袋
２１  ナイロンシート
２２、２３  短辺
２４  長辺
３  ＲＦＩＤタグ
５  ゴム被覆タグ
５１  未加硫ＮＢＲゴムシート
１０  ＲＦＩＤタグ付きクロス
【図１】
0003224724.tif 000003
【図２】
0003224724.tif 000004
【図３】
0003224724.tif 000005
【図４】
0003224724.tif 000006
【図５】
0003224724.tif 000007